(57)【特許請求の範囲】
【請求項１】
表面シートと、
裏面シートと、
前記表面シートと前記裏面シートとの間に配置され、体液を吸収する吸収材料を含む吸収層と、を備える吸収性物品であって、
前記吸収層と前記表面シートとの間には、第４級アンモニウム塩の抗菌剤と香料とを含む機能性材料が配置された機能性材料領域が設けられており、
前記機能性材料領域及び前記機能性材料領域と厚み方向において隣接する隣接層を前記厚み方向に圧縮した圧搾部が形成されており、
前記香料は、沸点が２５０℃以下の高揮発性のものであり、
前記吸収性物品は、前記抗菌剤を含み、前記香料を含まない抗菌層と、前記抗菌剤を含まず、前記香料を含む香料層と、を有し、
前記抗菌層と前記香料層は、前記厚み方向において隣接し、
前記抗菌層は、前記香料層の肌対向面側に配置されており、
前記機能性材料領域は、前記抗菌層と前記香料層が前記厚み方向において重なった領域である、吸収性物品。
【請求項２】
前記抗菌層は、前記吸収層を包む被覆シートであり、
前記香料層は、幅方向に間隔を空け、かつ長手方向に延びて設けられている、請求項１に記載の吸収性物品。
【請求項３】
前記香料層は、前記表面シート又は前記隣接層に塗布されており、
前記香料層が塗布された前記表面シート又は前記隣接層は、接着剤を介して前記厚み方向に重なる部材に接着されており、
前記香料層と前記接着剤が前記厚み方向において重なる領域と、
前記接着剤が配置され、かつ前記香料が配置されていない領域と、
前記接着剤が配置されてなく、かつ前記香料が配置されている領域と、
が設けられている、請求項２に記載の吸収性物品。
【請求項４】
前記隣接層は、前記吸収層である、請求項１から請求項３のいずれか１項に記載の吸収性物品。
【請求項５】
前記圧搾部は、前記機能性材料領域、前記吸収層、及び前記表面シートが前記厚み方向に圧縮されている、請求項４に記載の吸収性物品。
【発明の詳細な説明】
【技術分野】
【０００１】
本発明は、体液を吸収する吸収層を有する吸収性物品に関する。
【背景技術】
【０００２】
従来、抗菌剤を含有した吸収性物品が知られている。例えば、特許文献１から特許文献４には、抗菌剤を含有した吸収層を備える吸収性物品が開示されている。例えば、特許文献１の吸収性物品は、パルプと高吸収性ポリマーを結合するバインダーに抗菌剤が混入されている。抗菌剤としては、第４級アンモニウム塩が例示されている。抗菌剤は、吸収体に吸収された体液に抗菌機能を発揮する。
【先行技術文献】
【特許文献】
【０００３】
【特許文献１】国際公開第２００７／１３９１５４号
【特許文献２】特開２００５−１９８７０１号公報
【特許文献３】特開平９−１０２９６号公報
【特許文献４】特開平４−２３４５号公報
【発明の概要】
【発明が解決しようとする課題】
【０００４】
一般的に、着用者は、吸収層によって一旦体液を吸収した後においても、一定時間装着することが多い。このとき、吸収性物品に体圧等が掛かり、吸収層に一旦吸収された体液が表面シート側に液戻りすることがある。
【０００５】
特許文献１から特許文献４の吸収性物品の抗菌剤は、吸収層に含有されており、吸収層に吸収された体液に対して抗菌機能を発揮する。しかし、特許文献１から特許文献４の吸収性物品は、吸収層に一旦吸収された体液が吸収層外に漏れだした場合、漏れ出した体液に対して抗菌機能を発揮し難い。
【０００６】
本発明は、上述の課題に鑑みてなされたものであり、体液を吸収した吸収時のみならず、体液を吸収した後においても、抗菌機能を発揮することできる吸収性物品を提供することを目的とする。
【課題を解決するための手段】
【０００７】
本開示に係る吸収性物品（吸収性物品１）は、表面シート（表面シート１０）と、裏面シート（裏面シート２０）と、前記表面シートと前記裏面シートとの間に配置され、体液を吸収する吸収材料を含む吸収層（吸収層３１）と、を備える吸収性物品であって、前記吸収層と前記表面シートとの間には、第４級アンモニウム塩の抗菌剤と香料とを含む機能性材料が配置された機能性材料領域（機能性材料領域５０）が設けられており、前記機能性材料領域及び前記機能性材料領域と厚み方向において隣接する隣接層を前記厚み方向に圧縮した圧搾部（圧搾部８０）が形成されていることを要旨とする。
【図面の簡単な説明】
【０００８】
【図１】実施形態に係る吸収性物品の平面図である。
【図２】図１に示すＡ−Ａ断面の模式断面図である。
【図３】実施形態に係る香料層と接着剤の配置を示した図である。
【図４】変形例に係る吸収性物品の平面図である。
【発明を実施するための形態】
【０００９】
（１）吸収性物品の構成
図１及び図２を参照して、実施形態に係る吸収性物品１について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１０】
図１は、実施形態に係る吸収性物品の平面図である。図２は、図１におけるＡ-Ａ断面図である。吸収性物品１としては、パンティーライナー（おりものシート）や生理用ナプキンや失禁パッド等の任意の吸収性物品が想定される。本実施形態では、かかる吸収性物品１として生理用ナプキンが用いられるケースについて説明する。
【００１１】
吸収性物品１は、表面シート１０と、裏面シート２０と、吸収層３１と、サイドシート１５と、被覆シート３２と、機能性材料領域５０と、を有する。吸収性物品１は、着用者の前側と後側とに延びる長手方向Ｌと、長手方向Ｌに直交する幅方向Ｗと、厚み方向Ｔと、を有する。厚み方向Ｔは、肌対向面側Ｔ１及びその反対側である非肌対向面側Ｔ２を有する。
【００１２】
表面シート１０は、体液等の液体を透過する液透過性のシートである。表面シート１０は、吸収層３１よりも肌対向面側に配置される。表面シート１０は、通常吸収性物品に使用されているものを使用することができ、例えば、不織布、開孔フィルムなどを用いることができる。
【００１３】
サイドシート１５は、表面シート１０の外側縁を覆い、かつ表面シート１０の外側縁から幅方向Ｗの外側に延出する。サイドシート１５は、ウイング３に配置される。なお、本実施の形態はサイドシート１５を有しているが、本発明に係る吸収性物品は、表面シート１０とサイドシート１５が一体化し、サイドシートを有しないように構成されていてもよい。
【００１４】
吸収層３１は、体液を吸収する吸収材料を含む。吸収材料は、通常吸収性物品に使用されているものを使用することができ、例えば、親水性繊維、高分子吸水ポリマー、またはこれらの組み合わせ等が挙げられる。
【００１５】
被覆シート３２は、吸収層３１を包む。被覆シート３２は、通常吸収性物品に使用されているものを使用することができ、例えば、不織布やティッシュ等が挙げられる。なお、本実施の形態は、被覆シートを有しているが、本発明に係る吸収性物品は、被覆シート３２を有しなくてもよい。吸収層３１と被覆シート３２は、吸収体３０として機能する。
【００１６】
裏面シート２０は、体液等の液体を透過しない液不透過性のシートである。裏面シート２０は、吸収層３１の非肌対向面側Ｔ２に配置される。裏面シート２０は、通常吸収性物品に使用されているものを使用することができ、例えば、非通気性や通気性のフィルム、不織布等を用いることができる。また、吸収性物品１の非肌対向面（裏面シートの非肌対向面）には、吸収性物品１を下着に固定するための粘着部（図示せず）が設けられている。
【００１７】
機能性材料領域５０は、吸収層３１と表面シート１０の間に配置されている。機能性材料部は、第４級アンモニウム塩の抗菌剤と香料との両方を少なくとも含む。機能性材料領域５０は、機能性材料が配置された領域である。抗菌剤としては、第４級アンモニウム塩から選ばれる。香料は、通常吸収性物品に使用されているものを使用することができ、沸点が約２５０℃以下の高揮発性のもの、又は沸点が約２５０〜約３００℃の中揮発性のものが好ましく用いられる。
【００１８】
本実施の形態に係る吸収性物品は、抗菌剤を含み、香料を含まない抗菌層６１と、抗菌剤を含まず、香料を含む香料層６２と、を有する。被覆シート３２には、抗菌剤が含浸されている。よって、本実施の形態に係る被覆シート３２は、抗菌層６１として機能する。香料層６２は、抗菌層６１としての被覆シート３２の肌対向面側に配置されている。香料を含む溶液が表面シート１０の非肌当接面又は被覆シート３２の肌当接面に塗布されることによって、香料層６２が形成されている。
【００１９】
機能性材料領域５０は、厚み方向において抗菌層６１と香料層６２が重なった領域である。図２に、機能性材料領域５０を示す。機能性材料領域５０の肌対向面は、香料層６２の肌対向面であり、機能性材料領域５０の非肌対向面は、抗菌層６１の非肌対向面である。よって、機能性材料領域５０と厚み方向において隣接する隣接層は、吸収層３１及び表面シート１０である。
【００２０】
なお、抗菌層６１と香料層６２は、厚み方向に重なっていればよく、香料層６２の肌対向面側に抗菌層６１が配置されていてもよい。また、抗菌層６１と香料層６２との間に他の部材が配置されていてもよい。
【００２１】
吸収性物品１には、機能性材料領域５０及び隣接層が厚み方向に圧縮された圧搾部８０が形成されている。本実施の形態の圧搾部８０は、機能性材料領域５０を構成する抗菌層６１、機能性材料領域５０を構成する香料層６２、隣接層としての表面シート１０、及び隣接層としての吸収層３１が圧縮されている。なお、圧搾部８０は、複数の隣接層（表面シート１０及び吸収層３１）のうち少なくとも一方と、機能性材料領域５０と、が圧縮されていればよい。圧搾部８０によって、機能性材料領域５０、表面シート１０及び吸収層３１が一体化している。圧搾部８０が形成された部分の密度は、圧搾部８０が形成されていない部分の密度よりも高い。よって、圧搾部８０が形成された部分と、圧搾部８０の周囲とで、密度勾配が形成される。
【００２２】
圧搾部８０は、平面視にて環状の第１圧搾部８１と、第１圧搾部８１よりも幅方向内側且つ長手方向内側に配置された第２圧搾部８２と、を有する。第１圧搾部８１は、長手方向に延びる複数の第１長手圧搾部８１Ｌと、幅方向に延びる複数の第１幅方向圧搾部８１Ｗと、を有する。第２圧搾部８２は、長手方向に延びる複数の第２長手圧搾部８２Ｌと、幅方向に延びる複数の第２幅方向圧搾部８２Ｗと、を有する。
【００２３】
吸収性物品を構成する表面シート１０、吸収層３１、被覆シート３２、及び裏面シート２０等は、接着剤を介して互いに接合されている。図３に、香料層６２と接着剤Ａの配置を模式的に示す。図３に示す接着剤Ａは、表面シート１０と被覆シート３２を接合するための接着剤である。接着剤Ａは、表面シート１０の非肌対向面又は被覆シート３２の肌対向面に塗布される。
【００２４】
本実施の形態に係る香料層６２は、表面シート１０の非肌対向面に設けられている。香料層が塗布された表面シート１０は、厚み方向に重なる部材としての被覆シート３２に接着剤Ａを介して接着されている。
【００２５】
接着剤Ａは、少なくとも幅方向に延びるように構成されている。接着剤Ａの平面視における形状は、例えば、スパイラル形状、円形状、オメガ形状を例示できる。一方、香料層６２は、平面視にて、長手方向Ｌに沿って直線状に延びる。香料層６２は、幅方向に間隔を空けて複数配置される。吸収性物品１には、香料層６２と接着剤Ａが厚み方向において重なる領域と、香料層６２と接着剤Ａが厚み方向において重ならない領域と、が設けられる。
【００２６】
（２）作用・効果
従来技術のように吸収層内に抗菌剤が配置される構成にあっては、吸収層に吸収された体液に対して抗菌機能を発揮できる。しかし、当該構成にあっては、一旦吸収層に吸収された体液が吸収層外に漏れだした場合、漏れ出した体液に対して抗菌機能を発揮することができない。
【００２７】
これに対して、本実施形態に係る吸収性物品１は、吸収層３１と表面シート１０の間に機能性材料領域５０が配置されている。そのため、着用者から排出された体液が表面シート１０側から吸収層３１側に導かれる過程で抗菌剤に触れ、また吸収層３１に一旦吸収された体液が表面シート１０側に漏れ出した場合においても、体液が抗菌剤に触れる。その結果、体液を吸収した吸収時のみならず、体液を吸収した後においても、抗菌機能を発揮することできる。
【００２８】
また、機能性材料領域５０には、抗菌剤のみならず、香料が含まれている。そのため、使用者は、抗菌剤による制臭効果のみならず、香料によるリラックス効果を得ることができる。
【００２９】
機能性材料領域５０、及び隣接層としての吸収層３１には、圧搾部８０が形成されている。圧搾部８０の密度は、圧搾部の周囲（圧搾部が形成されていない領域）よりも密度が高い。そのため、体液が吸収性物品によって吸収されると、体液が比較的密度の高い圧搾部８０に引き込まれ、集まる。また、吸収層に吸収された体液が漏れだした場合においても、体液が比較的密度の高い圧搾部８０に引き込まれる。
【００３０】
当該体液が引き込まれる圧搾部８０は、機能性材料領域５０が圧縮されている。よって、体液を効率よく、抗菌剤及び香料に触れさせることができる。抗菌剤によって抗菌機能を発揮でき、また香料によって体液の臭いを和らげたり、香料によって爽快感や安堵感を使用者に与えたりできる。
【００３１】
隣接層は、吸収層３１であってもよい。少なくとも機能性材料領域５０と吸収層３１に圧搾部８０が形成される。よって、表面シート１０内の体液を、比較的に密度の高い圧搾部８０に引き込み、そして吸収層３１に引き込み易くなり、体液を迅速に引き込むことができる。
【００３２】
圧搾部８０は、機能性材料領域５０、吸収層３１、及び表面シート１０が厚み方向に圧縮されていてもよい。一般的に、吸収層３１の密度は、表面シート１０の密度よりも高い。よって、圧搾部８０が、機能性材料領域５０と吸収層３１のみならず、表面シート１０にも設けられることにより、表面シート１０内の体液を、密度が比較的高い吸収層３１に迅速に引き込むことができる。よって、表面シート１０上の体液の吸収層３１への引き込み速度を高めることができ、装着感を向上できる。
【００３３】
抗菌層６１と香料層６２は、厚み方向Ｔにおいて隣接しており、機能性材料領域５０は、抗菌層と香料層が厚み方向において重なった領域であってもよい。抗菌層６１と香料層６２とが隣接するため、香料層６２の溶液によって抗菌剤が溶出し易くなり、抗菌剤が圧搾部８０に導かれ易くなる。また、抗菌剤が溶出することにより、抗菌剤がより拡散し、体液に触れやすくなる。
【００３４】
香料層６２と接着剤Ａが厚み方向Ｔにおいて重ならない領域が設けられていてもよい。接着剤Ａと香料層６２が重なると、香料が接着剤に漏れ出し、香料が接着剤の接着力に影響を及ぼすおそれがある。しかし、香料層６２と接着剤Ａが厚み方向において重ならない領域が設けられているため、少なくとも当該領域において接着力を確保し、接着力を適切な範囲で維持できる。
【００３５】
（３）変形例
次いで、変形例に係る吸収性物品について説明する。なお、変形例の説明において、実施形態と同様の構成については、同符号を用いて説明を省略する。変形例１に係る吸収性物品の機能性材料領域５０は、抗菌剤と香料が混合された混合材料が塗布された領域である。よって、変形例１に係る吸収性物品は、抗菌層６１と香料層６２を有しない。抗菌剤と香料が混合された混合材料が塗布された領域は、実施の形態の香料層６２のように、幅方向に間隔を空けて配置されていてもてよいし、幅方向の一定範囲に延びるように配置されていてもよい。
【００３６】
具体的な製造方法としては、表面シート１０の非肌対向面又は被覆シート３２の肌対向面に、抗菌剤と香料を含む溶液を塗布する。次いで、抗菌剤と香料を含む溶液が塗布された領域に、圧搾部８０を形成する。抗菌剤と香料が混合された混合材料を塗布して機能性材料領域５０を設けることにより、抗菌層６１と香料層６２を別々に設ける場合と比較して、設備を簡素化することができる。
【００３７】
次いで、変形例２に係る吸収性物品１Ａについて、図４を参照して説明する。変形例２に係る吸収性物品１Ａは、表面シート１０と被覆シート３２との間に配置された中間シート４０を有する。中間シート４０を設けることにより、体液の吸収速度を速くすることができ、かつ吸収後における体液の逆戻りを抑制することができる。中間シート４０は、例えば、不織布や、開孔フィルムなどが用いられる。
【００３８】
中間シート４０には、抗菌剤が含浸されている。一方、被覆シート３２には、抗菌剤が含浸されていない。よって、変形例２に係る中間シート４０は、抗菌層として機能する。香料層６２は、中間シート４０の肌対向面側に配置されている。圧搾部８０は、表面シート１０、香料層６２、中間シート４０、被覆シート３２、及び吸収層３１に形成されている。
【００３９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００４０】
例えば、吸収性物品は、ウイングを備えていなくてもよい。吸収性物品は、線状の圧搾部であってもよいし、点状の圧搾部であってもよい。点状の圧搾部を複数設けることにより、密度が高い部分と密度が低い部分とを交互に形成でき、密度勾配をより細かく形成できる。また、点状の圧搾部によれば、配置の自由度が高く、密度勾配を適宜設けることができる。
【符号の説明】
【００４１】
１、１Ａ・・・吸収性物品
３・・・ウイング
１０・・・表面シート
１５・・・サイドシート
２０・・・裏面シート
３１・・・吸収層
３２・・・被覆シート
４０・・・中間シート
５０・・・機能性材料領域
６１・・・抗菌層
６２・・・香料層
８０・・・圧搾部
Ｌ・・・長手方向
Ｔ・・・厚み方向
Ｗ・・・幅方向
【図１】
0006339471.tif 000002
【図２】
0006339471.tif 000003
【図３】
0006339471.tif 000004
【図４】
0006339471.tif 000005